(57)【特許請求の範囲】
【請求項１】
複数の支持杆を互いに交差するようにして結合して天板支持フレームを形成し、前記天板支持フレーム上に天板を載置して固定してなる天板付き家具において、
一方の支持杆の一端に設けた下向きの係合部を、他方の支持杆の長手方向の中間部上面に設けた凹状の被係合部に上方より係合し、前記天板支持フレーム上に天板を載置して、前記他方の支持杆に固定することにより、前記一方の支持杆の上面が前記天板の下面に当接して、前記一方の支持杆の係合部を、前記他方の支持杆の被係合部より抜け止めしたことを特徴とする天板付き家具。
【請求項２】
係合部を、一方の支持杆の一端より頸部を介して連設した下向係合片とし、被係合部を、他方の支持杆の側片と上片との角部に設けられ、かつ前記下向係合片が上方より嵌合しうるようにした係合孔とした請求項１記載の天板付き家具。
【請求項３】
頸部の上端を、一方の支持杆の上面および下向係合片の上端と同一平面に形成し、他方の支持杆の側片における前記係合孔の下縁から前記他方の支持杆の上面までの距離を、前記頸部の上下幅とほぼ同寸とし、かつ前記頸部の長さを、前記他方の支持杆の側片の板厚とほぼ同寸とした請求項２記載の天板付き家具。
【請求項４】
下向係合片における頸部側の縁部の下端部に、傾斜面または円弧面とした面取り部を設けた請求項２または３記載の天板付き家具。
【請求項５】
一方の支持杆の一端に、互いに側方に離間した１対の係合部を設け、両係合部を、他方の支持杆に設けた横長の被係合部の両端部に嵌合させた請求項１〜４のいずれかに記載の天板付き家具。
【請求項６】
互いに平行をなす２本の支持杆のそれぞれの一端に下向きの係合部を設け、前記両支持杆と直交する方向を向く他方の支持杆の長手方向の中間部上面に、２個の凹状の被係合部を互いに長手方向に離間させて設け、前記互いに平行をなす両支持杆の一端に設けた係合部を、前記両被係合部に上方より嵌合することにより、平面視Π字状の天板支持フレームを形成し、その上に天板を載置するとともに、各支持杆の遊端に設けた脚取付具を天板の下面に固着し、かつ各脚取付具の下面に脚杆を取り付けた請求項１〜５のいずれかに記載の天板付き家具。
【請求項７】
互いに平行をなす２本の支持杆の両端に下向きの係合部をそれぞれ設け、前記両支持杆と直交する方向を向く互いに平行の２本の他方の支持杆の長手方向の中間部上面に、２個の凹状の被係合部を互いに長手方向に離間させて設け、前記両支持杆の両端に設けた係合部を、前記両被係合部に上方より嵌合することにより、平面視ほぼＨ字状の天板支持フレームを形成し、その上に天板を載置するとともに、他方の両支持杆の遊端に設けた脚取付具を天板の下面に固着し、かつ各脚取付具の下面に脚杆を取り付けた請求項１〜５のいずれかに記載の天板付き家具。
【発明の詳細な説明】
【技術分野】
【０００１】
本発明は、テーブル、机、天板付きキャビネット、天板付き間仕切等の天板付き家具に関する。
【背景技術】
【０００２】
従来のテーブル等の天板付き家具においては、複数の支持杆を互いに交差するようにして結合して天板支持フレームを形成し、この天板支持フレーム上に天板を載置して固定するようにしている。
【０００３】
複数の支持杆を互いに交差するようにして結合するには、例えば、平面視Ｌ字状またはＴ字状の取付金具を、各支持杆にボルトをもって結合したり(例えば特許文献１参照)、一方の支持杆(中間アーム１０)の側面に設けた嵌合部(10)を、他方の角管状とした支持杆(ファンクションビーム１１)に嵌合してねじ止めしたり(例えば特許文献２参照)、天板の角部の下面に固着した脚ベース(１)における平面視において互いに直角をなす立壁(12)に、前後方向および左右方向を向く支持杆(架材４)の端面を突き当てて、立壁の内側からねじ止めしたりしている(例えば特許文献３参照)。
【先行技術文献】
【特許文献】
【０００４】
【特許文献１】特許第４４５５０４８号公報
【特許文献２】特開２０１４−９７２０４号公報
【特許文献３】特開２０１３−１０３０３４号公報
【発明の概要】
【発明が解決しようとする課題】
【０００５】
上述のような従来の天板付き家具においては、複数の支持杆同士の結合に、取付金具や多くのボルトまたはねじを用いているので、部品点数が多く、結合構造が複雑化し、しかも結合作業が繁雑である。
また、用途に応じて、天板支持フレームの形状や構造を変更して使用したい場合に、すでに結合されている複数の支持杆を分離したり、別の形態で結合し直したりするのに、多くの手間を要する等の問題がある。
【０００６】
本発明は、従来の技術が有する上記のような問題点に鑑み、複数の支持杆同士を、簡単かつ迅速に、しかも強固に組み付けることができるとともに、容易に分離解体することができ、さらに使用目的に応じて、天板支持フレームの形態を容易に変更しうるようにした天板付き家具を提供することを目的としている。
【課題を解決するための手段】
【０００７】
本発明によると、上記課題は、次のようにして解決される。
（１）複数の支持杆を互いに交差するようにして結合して天板支持フレームを形成し、前記天板支持フレーム上に天板を載置して固定してなる天板付き家具において、一方の支持杆の一端に設けた下向きの係合部を、他方の支持杆の長手方向の中間部上面に設けた凹状の被係合部に上方より係合し、前記天板支持フレーム上に天板を載置して、前記他方の支持杆に固定することにより、前記一方の支持杆の上面が前記天板の下面に当接して、前記一方の支持杆の係合部を、前記他方の支持杆の被係合部より抜け止めする。
【０００８】
このような構成によると、一方の支持杆の一端に設けた下向きの係合部を、他方の支持杆の長手方向の中間部上面に設けた凹状の被係合部に上方より係合し、天板支持フレーム上に天板を載置して、他方の支持杆に固定することにより、一方の支持杆の係合部を、他方の支持杆の被係合部より抜け止めすることができるので、複数の支持杆同士を、ボルトやねじ等の結合手段を用いることなく、簡単かつ迅速に組み付けることができるだけでなく、天板を他方の支持杆から外すだけで、一方の支持杆を他方の支持杆から容易に分離することができる。
したがって、複数の支持杆の結合や分離を容易に行うことができ、使用目的に応じて、天板支持フレームの形態を容易に変更することができる。
【０００９】
（２）上記(１)項において、係合部を、一方の支持杆の一端より頸部を介して連設した下向係合片とし、被係合部を、他方の支持杆の側片と上片との角部に設けられ、かつ前記下向係合片が上方より嵌合しうるようにした係合孔とする。
【００１０】
このような構成によると、係合部や被係合部の構造は簡素となり、安価に製造することができる。
【００１１】
（３）上記(２)項において、頸部の上端を、一方の支持杆の上面および下向係合片の上端と同一平面に形成し、他方の支持杆の側片における前記係合孔の下縁から前記他方の支持杆の上面までの距離を、前記頸部の上下幅とほぼ同寸とし、かつ前記頸部の長さを、前記他方の支持杆の側片の板厚とほぼ同寸とする。
【００１２】
このような構成によると、天板を他方の支持杆に固定したときの一方の支持杆と他方の支持杆および天板との結合強度を高めることができるとともに、それらの相互間のがたつきを防止することができる。
【００１３】
（４）上記(２)または(３)項において、下向係合片における頸部側の縁部の下端部に、傾斜面または円弧面とした面取り部を設ける。
【００１４】
このような構成によると、下向係合片を、他方の支持杆に傷つけることなく、係合孔に円滑に係合させることができる。
【００１５】
（５）上記(１)〜(４)項のいずれかにおいて、一方の支持杆の一端に、互いに側方に離間した１対の係合部を設け、両係合部を、他方の支持杆に設けた横長の被係合部の両端部に嵌合させる。
【００１６】
このような構成によると、互いに側方に離間した１対の係合部をもって、一方の支持杆の一端を他方の支持杆に結合しているので、その結合強度を高めることができる。
【００１７】
（６）上記(１)〜(５)項のいずれかにおいて、互いに平行をなす２本の支持杆のそれぞれの一端に下向きの係合部を設け、前記両支持杆と直交する方向を向く他方の支持杆の長手方向の中間部上面に、２個の凹状の被係合部を互いに長手方向に離間させて設け、前記互いに平行をなす両支持杆の一端に設けた係合部を、前記両被係合部に上方より嵌合することにより、平面視Π字状の天板支持フレームを形成し、その上に天板を載置するとともに、各支持杆の遊端に設けた脚取付具を天板の下面に固着し、かつ各脚取付具の下面に脚杆を取り付ける。
【００１８】
このような構成によると、他方の支持杆の両端に設けた脚取付具に取り付けた脚杆同士の間隔を、互いに平行をなす２本の支持杆の遊端に設けた脚取付具に取り付けた脚杆同士の間隔より大とすることができ、もって、同一構造とした２個の天板付き家具を、脚杆同士の間隔が小さい方の端部同士を互いに突き合わせて配設したとき、その突き合わせ部分に設けた椅子の着座者の足が、脚杆に当たらないようにすることができる。
【００１９】
（７）上記(１)〜(５)項のいずれかにおいて、互いに平行をなす２本の支持杆の両端に下向きの係合部をそれぞれ設け、前記両支持杆と直交する方向を向く互いに平行の２本の他方の支持杆の長手方向の中間部上面に、２個の凹状の被係合部を互いに長手方向に離間させて設け、前記両支持杆の両端に設けた係合部を、前記両被係合部に上方より嵌合することにより、平面視ほぼＨ字状の天板支持フレームを形成し、その上に天板を載置するとともに、他方の両支持杆の遊端に設けた脚取付具を天板の下面に固着し、かつ各脚取付具の下面に脚杆を取り付ける。
【００２０】
このような構成によると、４個の脚杆を、方形をなす天板の４隅に配設して、天板を安定よく支持することができる。
【００２１】
また、本発明によると、上記(６)項の構成とした天板付き家具と、上記(７)項の構成とした天板付き家具と組み替え作業を、簡単かつ迅速に行うことができる。
例えば、上記(７)項の構成とした天板付き家具の天板を外し、かつ２本の他方の支持杆のうちの１本を、２本の一方の支持杆の端部から外し、その外した支持杆の両端に設けられていた２個の脚取付具を取り外して、２本の一方の支持杆の遊端に付け替え、その後その上に天板を載置して固定し直せばよい。
【発明の効果】
【００２２】
本発明によると、複数の支持杆同士を、簡単かつ迅速に、しかも強固に組み付けることができるとともに、容易に分離することができ、さらに使用目的に応じて、天板支持フレームの形態を容易に変更しうるようにした天板付き家具を提供することができる。
【図面の簡単な説明】
【００２３】
【図１】本発明の天板付き家具の第１の実施形態を、斜め上方より見た斜視図である。
【図２】同じく、分解斜視図である。
【図３】天板に天板支持フレームを取り付けた状態を、斜め下方より見た斜視図である。
【図４】図２におけるIV部の拡大分解斜視図である。
【図５】横杆の中心線に沿って縦断した横杆と縦杆との結合部の縦断正面図である。
【図６】本発明の天板付き家具の第２の実施形態における、天板に天板支持フレームを取り付けた状態を、斜め下方より見た斜視図である。
【発明を実施するための形態】
【００２４】
以下、本発明の天板付き家具の第１の実施形態を、図１〜図５を参照して説明する。
図１〜図３に示すように、この天板付き家具１は、横長の会議テーブルとしてあり、平面視長方形の天板２と、この天板２を支持する天板支持体３とからなっている。
【００２５】
天板支持体３は、互いに平行をなして左右方向を向く前後１対の横杆(支持杆)４、４と、それらの両端に結合した、前後方向を向く左右１対の縦杆(支持杆)５、５とからなる平面視ほぼＨ字状の天板支持フレーム６と、各縦杆５の前後の端部に、前後方向を向く差し込み部７ａを嵌合し、かつその差し込み部７ａを、各縦杆５の端部下面に設けた２個のねじ挿通孔８、８に挿通した止めねじ９(図３参照)をもって固着することにより、各縦杆５に結合された４個の脚取付具７と、この脚取付具７の下面より垂下する角柱状の差し込み部７ｂに、上端部を嵌合してねじ止め(図示略)することにより各脚取付具７に固着された角管状とした４個の脚杆１０とを備えている。
【００２６】
次に、図４および図５を参照して、各横杆４と縦杆５との結合部の詳細について説明する。
各横杆４と縦杆５は、水平の基片４ａ、５ａの両側端より側片４ｂ、４ｂ、５ｂ、５ｂが起立し、両側片４ｂ、４ｂ、５ｂ、５ｂの上端より、上片４ｃ、４ｃ、５ｃ、５ｃが、中央に開口４ｄ、５ｄを残すようにして、互いに内方に向かって折曲形成された、断面上向き角形Ｃ字状をなしている。
【００２７】
各横杆４の両側片４ｂ、４ｂの両端部には、係合部をなす下向係合片１１、１１が、頸部１２、１２を介して連設されている。
また、両上片４ｃ、４ｃは、頸部１２、１２および下向係合片１１、１１の上端と一体となって、下向係合片１１、１１の先端まで延出している。
したがって、頸部１２、１２の上端は、横杆４の上面および下向係合片の上端と同一平面に形成されている。
【００２８】
各縦杆５における各横杆４の端部が対向する部分の側片５ｂと上片５ｃとの角部には、下向係合片１１、１１が両端部に上方より嵌合しうるようにした被係合部をなす長孔状の係合孔１３が設けられている。この係合孔１３は、各横杆４を取り付ける位置に応じて、各縦杆５の両端間の任意の位置に設けられる。
【００２９】
縦杆５の側片５ｂにおける係合孔１３の下縁から上片５ｃの上面までの距離Ｄ１は、頸部１２の上下幅Ｗ１、すなわち頸部１２の下端から上片４ｃの上面までの距離とほぼ同寸としてある。
係合孔１３の左右方向の幅Ｗ２、すなわち係合孔１３の図５における右方の縁から縦杆５の左方の側片５ｂの左側面までの距離は、横杆４における側端から下向係合片１１の先端面までの距離Ｄ２とほぼ同寸としてある。
また、係合孔１３の前後方向の長さは、横杆４の前後幅、より詳しくは、前後の下向係合片１１、１１の外側面間の距離とほぼ同寸としてある。
【００３０】
各横杆４における頸部１２の長さＬ１は、縦杆５における側片５ｂの板厚Ｔ１とほぼ同寸としてある。
また、各下向係合片１１における頸部１２側の縁部の下端部には、傾斜面または円弧面とした面取り部１１ａが設けられており、これによって、下向係合片１１を、縦杆５に傷つけることなく、係合孔１３に円滑に係合させることができるようにしてある。
【００３１】
各横杆４における下向係合片１１、１１および頸部１２、１２と、縦杆５における各係合孔１３との関係を上記のようにすることによって、下向係合片１１、１１を係合孔１３に上方より嵌合して係合させたとき、各横杆４は、縦杆５に、互いに上面が整合するようにして、がたつきが生じることなく、強固に結合されるになっている。
【００３２】
組み立てに当たっては、左右の縦杆５、５における各係合孔１３に、対応する横杆４の端部における下向係合片１１、１１を上方より嵌合して、平面視ほぼＨ字状の天板支持フレーム６を形成し、その各縦杆５の遊端に、脚取付具７の差し込み部７ａを嵌合して、ねじ止めし、その各脚取付具７の差し込み部７ｂに、脚杆１０の上端部を嵌合してねじ止めすることにより、天板支持体３を形成し、その上に天板２を載置して、各脚取付具７を、天板２の下方よりねじ止めする。
【００３３】
各脚取付具７を、天板２の下面に固着することによって、各縦杆５は天板２の下面に間接的に固着されるとともに、各横杆４も、上面が天板２の下面に当接した状態で、各下向係合片１１が各係合孔１３から抜け止めされることにより、天板２の下面に間接的に固着される。
【００３４】
なお、各横杆４および各縦杆５を、天板２の下面に、ねじ止め等により直接固着することもある。
【００３５】
また、組み付け順序は、上記の通りでなくてもよく、実際には、上下を反転させた状態で組み付け作業を行うのが好ましい。
【００３６】
各横杆４における両端部下面には、後述する本発明の第２の実施形態のために、図３に示すように、各縦杆５の両端部下面に設けてあるのと同様の２個のねじ挿通孔８、８が設けられている。
このねじ挿通孔８、８を利用して、各横杆４を、天板２の下面にねじ止めすることもある。
【００３７】
第１の実施形態によると、横杆４の一端に設けた下向係合片１１を、縦杆５の長手方向の中間部上面に設けた係合孔１３に上方より係合し、天板支持フレーム６上に天板２を載置して、脚取付具７を天板２にねじ止めし、縦杆５を天板２に間接的に固定することにより、横杆４の下向係合片１１を、縦杆５の係合孔１３より抜け止めすることができるので、複数の支持杆同士を、ボルトやねじ等結合手段を用いることなく、簡単かつ迅速に組み付けることができるだけでなく、天板２を脚取付具７から外すだけで、横杆４を縦杆５から容易に分離することができる。
したがって、複数の支持杆、すなわち横杆４や縦杆５の結合や分離を容易に行うことができ、使用目的に応じて、天板支持フレーム６の形態を、例えば後述する第２の実施形態のように、容易に変更することができる。
【００３８】
次に、図６を参照して、本発明の天板付き家具の第２の実施形態について説明する。
この天板付き家具１においては、上述の第１の実施形態における天板２を天板支持体３から外し、天板支持フレーム６における２本の縦杆５のうちの一方を、２本の横杆４、４の端部から外し、その外した縦杆５の両端に設けられていた２個の脚取付具７、７を取り外して、２本の横杆４の遊端に付け替えることにより、平面視ほぼΠ字状の天板支持フレーム１４を形成し、その上に天板２を載置して、その下面に各脚取付具７をねじ止めしてある。
このような付け替え作業は、第１の実施形態における天板付き家具１における天板２を天板支持体３から外し、上記のような付け替え作業を行った後、天板２を、その上に固定し直すことにより簡単かつ迅速に行うことができる。
【００３９】
元の縦杆５から外した脚取付具７を、横杆４の遊端に付け替える際には、縦杆５から外した脚取付具７の差し込み部７ａを、横杆４の遊端に差し込んで、元の縦杆５に止めていた止めねじ９、９を外して、それを、上述したように、横杆４の端部に予め設けておいたねじ挿通孔８、８に挿通して、差し込み部７ａを横杆４の遊端に固着するのがよい。
このときのために、各脚取付具７における差し込み部７ａの両側部には、図６に示すように、横杆４における各下向係合片１１、１１を受け入れるための回避用の凹部７ｃ、７ｃが設けられている。
なお、この凹部７ｃ、７ｃに代えて、各脚取付具７における差し込み部７ａの両側部に、横杆４における各下向係合片１１、１１が上方より係合するようにした被係合部(図示略)を設けてもよい。
【００４０】
第２の実施形態によると、前後の横杆４、４の遊端に設けた脚取付具７、７に取り付けた脚杆(図示略)同士の前後間隔を、縦杆５の前後の端部に設けた脚取付具７、７に取り付けた脚杆１０、１０の前後間隔より小とすることができ、もって、同一構造とした２個の天板付き家具１、１を、脚杆同士の間隔が小さい方の端部同士を互いに突き合わせて配設したとき、その突き合わせ部分に設けた椅子の着座者の足が、脚杆に当たらないようにすることができる。
【００４１】
本発明は、上記実施形態のみに限定されるものではなく、特許請求の範囲を逸脱することなく、例えば、次のような変形した態様での実施が可能である。
(１)  天板２を、平面視正方形、円形、楕円形、三角形、その他の形状とする。
(２)  第２の実施形態において、前後の横杆４、４を、その遊端同士が互いに前後に拡開するように、縦杆５に傾斜させて結合する。
(３)  各横杆４における両上片４ｃ、４ｃの対向縁に下向片(図示略)を設け、この下向片の下端が、縦杆５の側片５ｂにおける係合孔１３の下縁に当接するようにする。
【符号の説明】
【００４２】
１  天板付き家具
２  天板
３  天板支持体
４  横杆(支持杆)
４ａ基片
４ｂ側片
４ｃ上片
４ｄ開口
５  縦杆(支持杆)
５ａ基片
５ｂ側片
５ｃ上片
５ｄ開口
６  天板支持フレーム
７  脚取付具
７ａ、７ｂ  差し込み部
７ｃ凹部
８  ねじ挿通孔
９  止めねじ
１０  脚杆
１１  下向係合片(係合部)
１１ａ面取り部
１２  頸部
１３  係合孔(被係合部)
１４  天板支持フレーム
Ｄ１、Ｄ２  距離
Ｌ１  長さ
Ｔ１  板厚
Ｗ１、Ｗ２  幅
【図１】
0006580827.tif 000002
【図２】
0006580827.tif 000003
【図３】
0006580827.tif 000004
【図４】
0006580827.tif 000005
【図５】
0006580827.tif 000006
【図６】
0006580827.tif 000007